【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
初期の外観を有するインジケーター分散液を含む凍結インジケーターであって、該インジケーター分散液が、
（ａ）水性液体媒体の凍結状態から決定される融点を有する水性液体媒体と；
（ｂ）有機指標材料を含む固体インジケーター粒子であって、該液体媒体中に分散したインジケーター粒子と；
（ｃ）該液体媒体の融点未満の液体媒体の過冷を抑制する粒子性の成核剤と；を含み、
該液体媒体の凍結状態において、該インジケーター粒子が癒合して、該インジケーター分散液に初期の外観とは異なる外観を与え、該癒合および該異なる外観は不可逆的であり、該凍結インジケーターは、該インジケーター分散液が、該インジケーター粒子を該液体媒体の融点において軟化させるための軟化剤をさらに含み、該軟化剤は、該有機指標材料と緊密に混合され、そして該インジケーター粒子は、２５℃でＡＳＴＭ  Ｄ１３２１針入度試験に従って決定される場合に、少なくとも約２０ｄｍｍの軟らかさを有し、該液体媒体中に分散していることを特徴とする、凍結インジケーター。
【請求項２】
前記有機指標材料が、パラフィンワックス、微結晶性ワックス、カルナウバワックス、ミツロウ、いぼたロウ、セラックロウ、鯨ロウ、獣脂、パームワックス、ダイズワックス、ラノリン、羊毛脂、ロウ様ポリマー、ロウ様コポリマー、ポリエチレン、ポリプロピレン、エチレン−酢酸ビニルコポリマー、エチレン−アクリル酸コポリマー、および前述のワックス材料のうちの任意の２種以上の混合物からなる群から選択されるワックス材料を含む、請求項１に記載の凍結インジケーター。
【請求項３】
前記軟化剤が、エチレン−酢酸ビニルコポリマー、エチレン−アクリル酸コポリマー、微結晶性ワックス、ポリエチレン、コレステロール、短鎖アルカン、パラフィン系オイル、ナフテン系オイル、芳香族油、グリセロール、鉱油、脂肪酸、脂肪酸誘導体、脂肪アルコール、脂肪酸エステル、水素付加された脂肪酸、部分的に水素付加された脂肪酸、親水性の軟化剤、および少なくとも１種のエステル基を含む親水性の長鎖炭化水素からなる群から選択されるワックス軟化剤を含む、請求項２に記載の凍結インジケーター。
【請求項４】
前記有機指標材料が、スチレン−ブタジエンラテックス、天然ゴムラテックス、ゴム状ポリウレタン、ゴム状アクリルポリマー、ゴム状アクリルコポリマー、ゴム状ニトリルポリマー、ゴム状ニトリルコポリマー、ゴム状ポリクロロプレン、ゴム状ビニルピリジンポリマー、ゴム状スチレンポリマー、ゴム状スチレン／ブタジエンコポリマー、ゴム状スチレン／アクリル酸コポリマー、ゴム状ビニルトルエン／ターシャリーブチルスチレンコポリマー、ゴム状塩化ビニリデン／塩化ビニルコポリマー、ならびに、前述のポリマー材料の２種以上の混合物からなる群から選択される軟らかい固体または半固体材料を含む、請求項１に記載の凍結インジケーター。
【請求項５】
前記軟化材が可塑剤を含み、前記有機指標材料が、約２０℃未満、もしくは液体媒体の融点未満のガラス転移温度を有する、請求項４に記載の凍結インジケーター。
【請求項６】
前記インジケーター分散液が、分散安定剤を含み、該分散安定剤が、前記液体媒体の融点より高い温度での前記インジケーター分散液の癒合を抑制し、かつ前記液体媒体の融点でのインジケーター分散液の癒合を可能にする、請求項１に記載の凍結インジケーター。
【請求項７】
前記インジケーター分散液が、液体媒体の融点より高い温度で、早すぎる癒合を引き起こさせずに凍結に伴う癒合を促進するための高分子量の低温不安定化剤を含み、前記低温不安定化剤が、約１，０００ダルトンから約１０，０００ダルトンの範囲の分子量を有する、請求項６に記載の凍結インジケーター。
【請求項８】
前記低温不安定化剤が、カチオン性、アニオン性、双性イオン性、または荷電していない界面活性剤（１種または複数）を含む、請求項７に記載の凍結インジケーター。
【請求項９】
前記低温不安定化剤が、高分子量ポリアクリルアミド、高分子量ポリビニルアルコール、高分子量ポリビニルピロリドン、高分子量ポリアクリル酸、または前述のポリマーの２種以上の混合物を含む、請求項７に記載の凍結インジケーター。
【請求項１０】
前記インジケーター粒子がワックス材料を含み、前記分散安定化剤がアニオン性界面活性剤を含み、前記低温不安定化剤がカチオンポリマー、カチオン的に修飾されたヒドロキシエチルセルロースポリクオタニウム−４、またはカチオン的に荷電されたポリマー凝集剤を含む、請求項７に記載の凍結インジケーター。
【請求項１１】
前記インジケーター粒子がワックス材料を含み、前記分散安定化剤が、カチオン界面活性剤を含み、そして前記低温不安定化剤が、アニオンポリマー、ポリアクリル酸、ポリメタクリル酸、または前述の低温不安定化剤の２種以上の混合物を含む、請求項７に記載の凍結インジケーター。
【請求項１２】
前記インジケーター粒子がワックス材料を含み、前記分散安定化剤が、双性イオン界面活性剤を含み、そして前記低温不安定化剤が、カチオン性、アニオン性、もしくは双性イオン性界面活性剤、または前述の低温不安定化剤の２種以上の混合物を含む、請求項７に記載の凍結インジケーター。
【請求項１３】
前記分散安定化剤が、ステアリン酸ナトリウム、ステアリン酸カリウム、ミリスチン酸ナトリウム、オレイン酸ナトリウム、ドデシル硫酸ナトリウム、ラウリル硫酸アンモニウム、ラウリルエーテル硫酸ナトリウム、ドデシル３モルエーテル硫酸ナトリウム、ドデシルベンゼンスルホン酸ナトリウム、ノニルフェノール２モルエトキシレートスルホン酸ナトリウム、スルホコハク酸ビス（２−エチルヘキシル）ナトリウム、および前述のアニオン界面活性剤の２種以上の混合物からなる群から選択されるアニオン性界面活性剤を含む、請求項７に記載の凍結インジケーター。
【請求項１４】
前記分散安定化剤が、ドデシルトリメチルアンモニウムクロリド、ヘキサデシルトリメチルアンモニウムブロミド、塩化セチルピリジニウム、ポリエトキシ化獣脂アミン、塩化ベンザルコニウム、塩化ベンゼトニウム、および前述のカチオン界面活性剤の２種以上の混合物からなる群から選択されるカチオン界面活性剤を含む、請求項７に記載の凍結インジケーター。
【請求項１５】
前記分散安定化剤が、ラウリルアミドプロピルジメチルベタイン、ドデシルベタイン、ドデシルジメチルアミンオキシド、コカミドプロピルベタイン、ココアンホグリシネート、および前述の双性イオン界面活性剤の２種以上の混合物からなる群から選択される前記双性イオン界面活性剤を含む、請求項７に記載の凍結インジケーター。
【請求項１６】
前記分散安定化剤が、脂肪酸エトキシレート、ソルビタンエステル、ソルビタンエステル誘導体、モノラウリン酸ソルビタン、ポリ（エチレンオキシド）およびポリ（プロピレンオキシド）のコポリマー、脂肪アルコール、セチルアルコール、オレイルアルコール、および前述の非極性の界面活性剤の２種以上の混合物からなる群から選択される前記非極性の界面活性剤を含む、請求項７に記載の凍結インジケーター。
【請求項１７】
前記分散安定剤が、特定のｐＨ範囲で効力が増強される界面活性剤を含み、前記インジケーター分散液が、該特定のｐＨ範囲外のｐＨを有する、請求項７に記載の凍結インジケーター。
【請求項１８】
前記分散安定剤が非極性の界面活性剤を含み、極性の界面活性剤が存在しない、請求項１７に記載の凍結インジケーター。
【請求項１９】
前記分散安定剤が、インジケーター粒子の表面の、より少ない単層被覆を提供するように算出された濃度の界面活性剤を含む、請求項１７に記載の凍結インジケーター。
【請求項２０】
前記分散安定剤が、前記インジケーター分散液の重量に対して約０．０１％から約５％の割合で存在する、請求項１７に記載の凍結インジケーター。
【請求項２１】
前記界面活性剤が非極性であり、前記特定のｐＨ範囲が、約６から約８であり、前記インジケーター分散液のｐＨが、約５未満または約９よりも上である、請求項２０に記載の凍結インジケーター。
【請求項２２】
前記界面活性剤がアニオン性であり、前記特定のｐＨ範囲が、約７よりも上であり、前記インジケーター分散液が、約６未満のｐＨを有する、請求項２０に記載の凍結インジケーター。
【請求項２３】
前記界面活性剤が、カチオン性であり、前記特定のｐＨ範囲が、約７未満であり、前記インジケーター分散液のｐＨが、約８よりも上である、請求項２０に記載の凍結インジケーター。
【請求項２４】
前記低温不安定化剤が、前記分散安定剤の割合に対して重量で約０．２対１から約１対１．３までの割合で存在する、請求項１７に記載の凍結インジケーター。
【請求項２５】
前記分散安定剤が、極性であり、前記低温不安定化剤が、前記分散安定剤の電荷と逆の電荷をもつ、請求項２４に記載の凍結インジケーター。
【請求項２６】
前記液体媒体が、水、または重水、または水と重水の混合物から基本的に構成される、請求項１〜２５のいずれか１項に記載の凍結インジケーター。
【請求項２７】
前記成核剤が氷核粒子を含む、請求項１〜２５のいずれか１項に記載の凍結インジケーター。
【請求項２８】
前記成核剤が、氷核形成タンパク質、氷核形成微生物、Ｐｓｅｕｄｏｍｏｎａｓ  ｓｙｒｉｎｇａｅ微生物、Ｐｓｅｕｄｏｍｏｎａｓ  ｓｙｒｉｎｇａｅ核形成タンパク質、および前述の成核剤の２種以上の混合物からなる群から選択される、請求項２７に記載の凍結インジケーター。
【請求項２９】
前記インジケーター粒子が、少なくとも約３０ｄｍｍの軟らかさを有する、請求項１〜２５のいずれか１項に記載の凍結インジケーター。
【請求項３０】
前記インジケーター粒子が、均質な材料の固体粒子である、請求項１〜２５のいずれか１項に記載の凍結インジケーター。
【請求項３１】
前記有機指標材料が、約４０℃から約８０℃の範囲の融点を有するワックス材料を含む、請求項３０に記載の凍結インジケーター。
【請求項３２】
前記有機指標材料が、ポリオレフィンまたはゴム状ポリマーを含む、請求項１〜２５のいずれか１項に記載の凍結インジケーター。
【請求項３３】
前記インジケーター分散液が、該インジケーター分散液の重量に基づいて約５から約６０重量％の割合のインジケーター粒子、および該インジケーター分散液の重量に基づいて少なくとも約０．１重量％の割合の前記成核剤を含む、請求項１〜２５のいずれか１項に記載の凍結インジケーター。
【請求項３４】
前記インジケーター分散液が、該インジケーター分散液の重量に基づいて約１０から約２０重量％の割合のインジケーター粒子、および該インジケーター分散液の重量に基づいて約１から約２重量％の割合の前記成核剤を含む、請求項１〜２５のいずれか１項に記載の凍結インジケーター。
【請求項３５】
軟化剤と有機指標材料を合わせた重量に基づいて約５から約５０重量％の割合の前記軟化剤を含む、請求項１〜２５のいずれか１項に記載の凍結インジケーター。
【請求項３６】
軟化剤と有機指標材料を合わせた重量に基づいて約２０から約３０重量％の割合の前記軟化剤を含む、請求項１〜２５のいずれか１項に記載の凍結インジケーター。
【請求項３７】
前記インジケーター粒子が染料含まず、色素を含まない、請求項１〜２５のいずれか１項に記載の凍結インジケーター。
【請求項３８】
凍結インジケーターの液体媒体の融点またはその近くの温度へのホスト製品の曝露を示すために、該凍結インジケーターが該ホスト製品と組み合わせられる、請求項１〜２５のいずれか１項に記載の凍結インジケーターおよび凍結感受性のあるホスト製品。